(57)【要約】  本発明は、光学装置、及び光学装置を含んだヘッドライトアセンブリに関する。光学装置は、少なくとも１つの光入力部２４ａ、２４ｂで光を受け取るように構成された透明材料のボディ１６を含む。光の少なくとも一部が、ボディ１６の外表面２８ａ、２８ｂで全反射によって反射される。少なくとも部分的にボディ１６の覆いとなるように不透明なハウジング１２が設けられる。ボディ１６は、外表面２８ａ、２８ｂに当接するように構成された突起部３０、３６によってハウジング１２内に保持される。
2019510269.tif 000002
【特許請求の範囲】
【請求項１】
透明材料のボディであり、当該ボディは、当該ボディの少なくとも１つの光入力部で光を受け取り、当該ボディの外表面で前記光の少なくとも一部を全反射により反射し、且つ少なくとも１つの光出力部で光を外部に放射するように構成され、
当該ボディは、全体的に扁平であり、且つ光学効果を達成するように整形されており、
当該ボディの前記外表面は、実質的に平ら且つ／或いは平行である上側及び下側の表面部分を有する、
ボディと、
少なくとも部分的に前記ボディの覆いとなる不透明なハウジングであり、前記ボディが、前記外表面に当接するように構成された突起部によって当該ハウジング内に保持される、ハウジングと、
を含む光学装置。
【請求項２】
前記ハウジングは、少なくとも上側及び下側のハウジング部分を有し、前記ボディは、前記上側及び下側のハウジング部分の間に配置され、
前記突起部は、前記上側及び下側のハウジング部分の双方に配置されて、前記ボディに当接するように延在している、
請求項１に記載の光学装置。
【請求項３】
前記上側及び下側のハウジング部分は、１つ以上のフォームフィッティング素子によって接続される、
請求項２に記載の光学装置。
【請求項４】
前記ハウジングは、前記ボディから距離を置いて配置されるハウジング壁を有し、前記突起部は、前記ハウジング壁と前記ボディとの間に配置される、
請求項１乃至３のいずれか一項に記載の光学装置。
【請求項５】
前記ボディは、両側で前記外表面に当接する前記突起部の間にクランプされる、
請求項１乃至４のいずれか一項に記載の光学装置。
【請求項６】
複数の前記突起部と前記外表面との間の接触領域が、少なくとも実質的に、２つの平面内に配置される、
請求項１乃至５のいずれか一項に記載の光学装置。
【請求項７】
少なくとも１つのレンズ素子が、前記ボディから放射された光を当該レンズ素子の出力部で受けるように配置されている、
請求項１乃至６のいずれか一項に記載の光学装置。
【請求項８】
前記レンズ素子は、前記ハウジングの開口部の中に設けられる、
請求項７に記載の光学装置。
【請求項９】
前記ボディは、１つ以上の前記光入力部を有し、
前記ハウジングは、入力部当たり２個から１２個の前記突起部を有する、
請求項１乃至８のいずれか一項に記載の光学装置。
【請求項１０】
前記ハウジングは、少なくとも上側及び下側のハウジング部分を有し、前記ボディは、前記上側及び下側のハウジング部分の間に配置され、
前記上側のハウジング部分に、入力部当たり１個から６個の前記突起部が配置され、前記下側のハウジング部分に、入力部当たり１個から６個の前記突起部が配置されている、
請求項１乃至９のいずれか一項に記載の光学装置。
【請求項１１】
前記突起部は、少なくとも実質的に円筒形の形状を有する、
請求項１乃至１０のいずれか一項に記載の光学装置。
【請求項１２】
前記突起部は、前記外表面に当接するように構成された、丸みを帯びた又は少なくとも部分的に先細にされた頭部を備える、
請求項１乃至１１のいずれか一項に記載の光学装置。
【請求項１３】
前記ボディは、前記ハウジングの他の部分と接触することなく前記突起部のみによって保持される、
請求項１乃至１２のいずれか一項に記載の光学装置。
【請求項１４】
少なくとも１つの光源と、
請求項１乃至１３のいずれか一項に記載の光学装置であり、前記光源からの光を前記入力部で受け取るように構成された光学装置と、
を含むヘッドライトアセンブリ。
【請求項１５】
前記光源は、少なくとも１つのＬＥＤ素子又は少なくとも１つのレーザ照明素子を有する、
請求項１４に記載のヘッドライトアセンブリ。
【発明の詳細な説明】
【技術分野】
【０００１】
本発明は、光学装置、及び光学装置を含んだヘッドライトアセンブリに関する。特に、本発明は、透明材料のリフレクタボディを含む光学装置に関する。
【背景技術】
【０００２】
光源から放たれた光を受け取り且つ該光を光学的に変更して、所望の特性の出力ビームを放射し得る様々なタイプの光学装置が知られている。そのような光学装置は、例えば、レンズ、リフレクタ又はコリメータなどの光学素子を有し得る。
【０００３】
１つの知られているタイプの光学素子は、例えばレンズ、リフレクタ及び／又はコリメータといったＴＩＲ（全反射）素子である。ＴＩＲ素子は、光学的に透明な材料の塊（ボディ）とすることができ、該ボディに光が入り得る光入力部と、該ボディの内部から光が放射され得る光出力部とを含み得る。光は、ボディの内部でガイドされる。ボディの外表面で、光は、例えば空気といった周囲空間と比較したときのボディの屈折率の違いによる全反射の原理に基づいて反射され得る。
【０００４】
ＥＰ２３２７９２７Ｂ１（特許文献１）は、特にはＬＥＤである光源用のレンズ素子を記載している。そのレンズ素子は、境界表面を持つ光伝導材料のボディを有している。そのボディは、光源を起源とする光を伝導する。光の一部が、境界表面での全反射の結果として反射される。
【先行技術文献】
【特許文献】
【０００５】
【特許文献１】欧州特許第２３２７９２７号明細書
【発明の概要】
【０００６】
透明ボディを有する光学素子が光源の光を効率的に使用する光学装置、特に、例えば自動車で使用されるヘッドランプ、を提案することが１つの目的であると考え得る。
【０００７】
本発明の一態様によれば、請求項１に従った光学装置、及び請求項１４に従ったヘッドライトアセンブリが提案される。従属請求項が好適実施形態を表す。
【０００８】
本発明に従ったよる光学装置は、透明材料のボディを含む。ボディは、少なくとも１つの光入力部を含み、光が、それを通して受け取られて、ボディの内部で伝導され得る。
【０００９】
光入力部で受け取られた光の少なくとも一部が、ボディの外表面で全反射（ＴＩＲ）によって反射され得る。故に、このボディは、ＴＩＲボディとして参照されることがある。ＴＩＲボディは、所望の光学的目的に従って整形されることができ、例えばレンズ、コリメータ及び／又はリフレクタとして整形され得る。
【００１０】
特に、ＴＩＲボディは、例えば出射面といった少なくとも１つの光出力部を有することができ、そこで、光入力部から受け取られてボディの内部をガイドされた光がＴＩＲボディの外部に伝達され得る。例えば光入射面の中心と光出射面の中心との間に、光軸が画成され得る。
【００１１】
本発明者が考えることには、ＴＩＲボディを用いて、光の入力ビームを、光出力部で放射される光の出力ビームへと変換する際、散乱光部分が、様々な位置及び様々な角度でボディから放射され得る。光学装置の出力ビームに対するそのような散乱光部分の寄与を回避するために、本発明者は、少なくとも部分的にＴＩＲボディの覆いとなるように不透明なハウジングを設けることを提案する。このハウジングは、特に光軸に垂直な方向に関して、例えば、ボディを部分的に又は完全に取り囲むように配設され得る。故に、ボディの内部から放出された散乱光部分は、不透明なハウジングで吸収され得る。
【００１２】
本発明によれば、ボディは、当該ボディの外表面に当接するように構成された突起部によってハウジング内に保持される。
【００１３】
本発明者が考えることには、ＴＩＲボディとハウジングとの間の接触は、それぞれの位置での光学特性の変化につながり得る。ＴＩＲボディの外表面での反射の所望の効果は全反射を当てにするものであるので、周囲媒質の屈折率及びグレージング角の変化は、例えばＴＩＲボディの外部への光の透過又は望ましくない方向への反射など、望まない影響につながり得る。故に、光出力部へとＴＩＲボディ内を伝導される光の光度が、望ましくない位置でアウトカップリングされる光部分によって低減されてしまい得る。また、ＴＩＲボディの光出力部で放射される光ビームのビーム形状が、ハウジングとＴＩＲボディとの間の接触箇所に生じる影響によって歪まされてしまい得る。
【００１４】
提案される、外表面に当接する突起部によるハウジング内でのＴＩＲボディの取り付けは、接触を最小化し、それ故に、最小化された歪みにつながる。
【００１５】
ハウジングは、例えばＴＩＲボディの外表面に平行に、ＴＩＲボディから距離を置いて配置され得るハウジング壁を含むことができる。突起部は、この距離を確立するように、これらのハウジング壁から延在し得る。突起部は、例えばプラスチック材料から、ハウジング壁と一体に形成され得る。
【００１６】
好ましくは、ボディは、突起部の当接接触のみによって保持され、例えば、ＴＩＲボディの更なる固定（例えば、ハウジング壁の平面的な接触によってなど）なしに、突起部又はその頭部が外表面に当接するようにされる。
【００１７】
各突起部と外表面との間の接触箇所は、例えば、接触面を最小化するように点状にされ得る。突起部が、押す力のみをもって以外でＴＩＲボディに固定されないこと、すなわち、接着剤又はそれぞれの形状の形態係止を用いないことが好ましい。
【００１８】
好適実施形態によれば、ハウジングは、少なくとも上側及び下側のハウジング部分を有することができ、これら２つのハウジング部分の間にＴＩＲボディが配置されるようにし得る。特に、ハウジングは、上半分及び下半分で構成されてもよい。突起部は、上側及び下側のハウジング部分の双方に配置されて、ＴＩＲボディに当接するように延在し得る。上側及び下側のハウジング部分は、例えば、アライメントを確実にするように形がぴったり合う（フォームフィッティングする）素子によって接続され得るとともに、例えば接着、溶接、又は機械的係止によって互いに固定され得る。例えば、一方のハウジング部分に設けられた位置決め突起が、他方のハウジング部分にある位置決めホールド内に受け入れられ得る。
【００１９】
突起部は、２つ以上の方向からＴＩＲボディに接触するように設けられ得る。好ましくは、突起部は、例えば、上下から、前後から、及び／又は両側面からなど、反対方向からＴＩＲボディに接触するように配置され得る。例えば、突起部は、ハウジング壁の頂部及び底部から並びにハウジング壁の側部から延在し得る。
【００２０】
設けられる突起部の数及び位置決めは、保持されるべきＴＩＲボディの形状に従って変わり得る。一部の実施形態では、上側のハウジング部分に配置される突起部の数と、下側のハウジング部分に配置される突起部の数とが異なっていてもよいが、一部のケースでは、両側に同数の突起部を設けることが好ましいとし得る。斯くして、生じる歪み効果が対称になり得る。
【００２１】
好ましくは、ボディは、反対側で外表面に当接する突起部の間にクランプされ得る。用語“クランプされ”は、ボディがハウジング内で動かなくされるように、ボディをフォームフィッティング的に位置付けることを指す。内部応力による光学特性の変化を回避するために、突起部を外表面に押し当てる力が好ましく回避され、少なくとも最小化される。斯くして、内部応力を生じることなく、ボディがしっかりと保持され得る。
【００２２】
好適なＴＩＲボディは、特に、全体的に扁平な形状のものとすることができ、すなわち、ＴＩＲボディの高さ方向の延在である厚さの２倍よりも大きい幅及び／又は長さ、好ましくは４倍よりも大きい幅及び／又は長さを持つ。
【００２３】
ＴＩＲボディの上面及び下面の部分は、実質的に平坦とし得る。これら２つの表面部分は、実質的に平らで平行であるとし得る。突起部と外表面との間の接触の領域が、少なくとも実質的に、好ましくは平行な平面である２つの平面内に配置されるように、ＴＩＲボディを構成することが特に好ましい。特に、これら２つの平面は、光軸に対して少なくとも実質的に平行であるとし得る。
【００２４】
光学装置は更に、ＴＩＲボディの他にも光学素子を有し得る。特に、出力部でＴＩＲボディから放射された光を受けるように、少なくとも１つのレンズ素子が配置され得る。少ない部品数を達成するために、レンズ素子もＴＩＲボディと同じハウジングによって保持され得る。特に、レンズは、異なるハウジング部分の間に保持されることができ、例えば、上側及び下側のハウジング部分の間にクランプされ得る。ハウジングは、それを通して光が放射され得る開口部を有し得る。レンズ素子は、ハウジングのそのような開口部の中に配設され得る。
【００２５】
好ましくは、ＴＩＲボディに接触する突起部の数は、歪みを抑制するために比較的少ない。例えば、ＴＩＲボディは、各サイドから１つ又は２つのみの突起部によって保持され得る。しかしながら、好適実施形態に関して示されるように、ＴＩＲボディの形状がもっと複雑であって、１つのみでなく２つ以上の光入力部（及び好ましくはそれぞれの光出力部であり、複数の光軸を画成する）を有することがある。一般に、入力部当たり２個から１２個、好ましくは４個から８個、の突起部が設けられることが好ましい。上側及び下側の部分を有するハウジングでは、入力部当たり１個から６個、好ましくは３個から４個、の突起部が各ハウジング部分上に設けられ得る。
【００２６】
好適実施形態において、突起部は、少なくとも実質的に円筒形の形状を有することができ、例えば、円形又はその他の断面形状を有する。他の例において、突起部は、それとは異なる形状にされてもよく、例えば、平らなフィン、円錐又は角錐ピラミッドの形状にされ得る。それらは、例えば、光軸に対して少なくとも実質的に垂直に延在するように構成され得る。突起部に、好ましくはシャフト部よりも薄い頭部であって、接触面積を減らすために、例えば丸みを帯びた又は少なくとも部分的に先細にされた形状を有する頭部を設けることが特に好ましい。ＴＩＲボディに接触するように配置される突起部の頂部領域は、例えば、平面（しかし、好ましくは、突起部シャフトの断面よりも小さい）であってもよいし、凸形状を有していてもよい。突起部は、ハウジング壁に対して少なくとも実質的に垂直に配置され得る。
【００２７】
本発明に従った光学装置は、特に、ヘッドライトアセンブリに使用されることができ、すなわち、車両の前方照明として使用され得る。例えば、１つ以上の蛍光体要素が１つ以上のレーザビーム源によって活性化されるように配置されるといった、１つ以上のＬＥＤ素子又はレーザ照明素子などの様々なタイプの光源が使用され得る。光学装置の出力部分から放射された光が直接的に前方照明ビームとして使用されてもよいし、又は、ビーム形状を更に変更するために、例えば１つ以上のレンズなどの更なる光学素子が配設されてもよい。
【００２８】
本発明のこれら及びその他の態様が、以下に記載される実施形態を参照して明らかになる。
【図面の簡単な説明】
【００２９】
【図１】本発明の実施形態に従ったヘッドライトアセンブリの斜視図を示している。
【図２】上側ハウジング部分を取り外したヘッドライトアセンブリの上面図を示している。
【図３】図１、図２に従ったヘッドライトアセンブリ内のＴＩＲボディの中で反射される光ビームの模式的な部分図を示している。
【図４】図１、図２に従ったヘッドライトアセンブリの斜視分解図を示している。
【発明を実施するための形態】
【００３０】
図１は、ヘッドライトアセンブリ１０を斜視図にて示している。このヘッドライトアセンブリは、上側ハウジング部分１２ａ及び下側ハウジング部分１２ｂからなるハウジング１２を有している。
【００３１】
ヘッドライトアセンブリ１０の正面に、ハウジング１２によって保持されたダブルレンズ素子１４が設けられている。
【００３２】
図２は、上側ハウジング部分１２ａを取り外したヘッドライトアセンブリ１０の上面図を示している。図示されるように、ＴＩＲボディ１６がハウジング１２内に配置されている。光入射面２４ａ、２４ｂが、回路基板２０ａ、２０ｂ上に設けられた２つのＬＥＤ光源１８ａ、１８ｂの前に配置されるように、ＴＩＲボディ１６の入力コリメート部２２ａ、２２ｂがハウジング１２の開口を通って突出している。
【００３３】
ＴＩＲボディ１６は、並べて配置された２つの実質的に同じ形状の素子１６ａ、１６ｂを有している。ＴＩＲ素子１６ａ、１６ｂの各々が、それぞれのＬＥＤ光源１８ａ、１８ｂに対向配置された光入射面２４ａ、２４ｂを含んだコリメータ部２２ａ、２２ｂを有している。各ＴＩＲ素子１６ａ、１６ｂの反対側の端部に、湾曲した光出射面２６ａ、２６ｂの形状をした光出力部が配置されている。
【００３４】
図２に模式的に示されるように、ＴＩＲボディ１６のＴＩＲ素子１６ａ、１６ｂの各々に、入力コリメータ２２ａ、２２ｂにある入射面２４ａ、２４ｂを介して、ＬＥＤ光源１８ａ、１８ｂからの光が入る。光がＴＩＲボディ１６の中で内部ガイドされて、ビームが光出射面２６ａ、２６ｂで放射される。放射されたビームがダブルレンズ素子１４によって投射されて、照明ビームを形成する。
【００３５】
図３は、中空でない透明ＴＩＲボディ１６の中で光がどのように伝導されるかを模式的に示している。模式的に示されるように、ＴＩＲボディ１６内をガイドされる光は、ＴＩＲボディ１６の上側及び下側の外表面２８ａ、２８ｂで、全反射によって反射される。
【００３６】
ＴＩＲボディ１６の形状は、図４の分解図にも示されている。上述したように、ＴＩＲボディ１６は、概して平らな上面及び下面を有した、全体的に扁平な形状のものである。当業者が理解することには、ＴＩＲボディ１６の上面２８ａ、下面２８ｂの平坦な形状は、ＴＩＲボディ１６の取り付けに関係する本発明の中心的な態様をより容易に理解するために、ここに示されたものであり、実際の実施形態においては、形状は、光学的考察に従って異なるものとなることができ、例えば、隆起した又は降下した部分を備えてもよい。故に、ここで“概して平ら”及び“概して平行”として参照される上面及び下面は、実際の実施形態では、所望の光学効果を達成するために、もっと複雑な形状を有することがあり、その詳細は本発明の範囲外である。
【００３７】
ＬＥＤ１８ａ、１８ｂの動作において、ＴＩＲボディ１６は、レンズ１４を通して放射される車両フロントライトに望まれるビーム形状及び強度分布を達成するように作用する。ＬＥＤ１８ａ、１８ｂからの光の大部分は、図３に模式的に示されるように、ＴＩＲボディ１６の内部をガイドされてその外表面２８ａ、２８ｂで反射されるが、一般に、例えば図３において鎖線によって示されるものなど、ＴＩＲボディ１６の内部から放射される若干の散乱された部分の光が存在することになる。このような、光出射面２６ａ、２６ｂの外の位置で放射される散乱光部分は、ハウジング１２によって吸収される。
【００３８】
これらの図に示されるように、ハウジング１２は、ハウジング壁３８ａ、３８ｂを有しており、それらから複数の突起部３０がＴＩＲボディの方に延在している。この例に示される突起部３０は、円形断面を有する円筒形の形状をしたものである。これらは、ハウジング壁３８ａ、３８ｂから実質的に垂直に延在するように、ハウジング１２と一体に形成されている。
【００３９】
図３に示されるように、突起部３０は、故に、実質的に平行なハウジング壁３８ａ、３８ｂと、ＴＩＲボディ１６の外表面２８ａ、２８ｂとの間の距離を確立する。この例に示される突起部３０は、丸みを帯びた頭部３２を備えている。
【００４０】
これらの図に示されるように、上側及び下側のハウジング部分１２ａ、１２ｂの双方が突起部３０を備えている。故に、突起部３０が、それらの頭部３２で、上下から、すなわち、反対方向から、外表面２８ａ、２８ｂに当接することによって、ＴＩＲボディ１６が保持される。さらに、ＴＩＲボディ１６の規定位置を確立するために、ハウジング１２の側壁部分から突出して、反対方向からＴＩＲボディ１６に接触する突起部３６が設けられている。ＴＩＲボディ１６が全ての軸でしっかり固定されて位置付けられるよう、例えば前後などの異なる方向からＴＩＲボディ１６に当接するように、更なる突起部（図２には図示せず）が設けられてもよい。
【００４１】
突起部は互いに離間されている。図示の例では、各ハウジング部分１２ａ、１２ｂに７つずつの上側及び下側の突起部が設けられている。ハウジング１２とＴＩＲボディ１６との間の接触箇所は、突起部３０、３６の頭部３２のみである。故に、ＴＩＲボディの外表面２８ａ、２８ｂに対するハウジング部分の接触面が最小化される。丸みを帯びた頭部３２により、各突起部３０、３６は点状の接触領域をもたらすのみである。故に、ＴＩＲボディ１６の光学特性に対する影響が最小化される。さらに、両側に同数の突起部が設けられることにより、光学特性の影響が少なくとも実質的に対称になる。
【００４２】
ＴＩＲボディ１６及びレンズ１４はどちらも、ハウジング部分１２ａ、１２ｂの間に固定される。ハウジング部分１２ａ、１２ｂの互いにたいして上下のアライメントは、上側及び下側のハウジング部分１２ａ、１２ｂのコーナー部に設けられたフォームフィッティング素子３４によって達成される。
【００４３】
なお、上述の実施形態は、本発明を限定するものではなく例示するものであり、当業者は、添付の請求項の範囲を逸脱することなく、数多くの代替実施形態を設計できるであろう。例えば、上述した突起部の数及び形状、並びにＴＩＲボディの形状は、異なっていてもよい。請求項において、括弧内に置かれた如何なる参照符号も、請求項を限定するものとして解されるべきでない。単語“有する”は、請求項中に列挙されるもの以外の要素又はステップの存在を排除するものではない。要素に先行する単語“ａ”又は“ａｎ”は、複数のそのような要素の存在を排除するものではない。特定の複数の手段が相互に異なる従属項に記載されているという単なる事実は、それらの手段の組合せが有利に使用され得ないということを指し示すものではない。
【図１】
2019510269.tif 000003
【図２】
2019510269.tif 000004
【図３】
2019510269.tif 000005
【図４】
2019510269.tif 000006
【手続補正書】
【提出日】平成30年9月19日(2018.9.19)
【手続補正１】
【補正対象書類名】特許請求の範囲
【補正対象項目名】全文
【補正方法】変更
【補正の内容】
【特許請求の範囲】
【請求項１】
透明材料のボディであり、当該ボディは、当該ボディの少なくとも１つの光入力部で光を受け取り、当該ボディの外表面で前記光の少なくとも一部を全反射により反射し、且つ少なくとも１つの光出力部で光を外部に放射するように構成され、
当該ボディは、全体的に扁平であり、
当該ボディの前記外表面は、実質的に平ら且つ／或いは平行である上側及び下側の表面部分を有する、
ボディと、
少なくとも部分的に前記ボディの覆いとなる不透明なハウジングであり、当該ハウジングは、前記ボディから距離を置いて配置されたハウジング壁を含み、前記ボディが、前記ハウジング壁から延在し且つ前記外表面に当接するように構成された突起部によって、当該ハウジング内に保持される、ハウジングと、
を含む光学装置。
【請求項２】
前記ハウジングは、少なくとも上側及び下側のハウジング部分を有し、前記ボディは、前記上側及び下側のハウジング部分の間に配置され、
前記突起部は、前記上側及び下側のハウジング部分の双方に配置されて、前記ボディに当接するように延在している、
請求項１に記載の光学装置。
【請求項３】
前記上側及び下側のハウジング部分は、１つ以上のフォームフィッティング素子によって接続される、
請求項２に記載の光学装置。
【請求項４】
前記ハウジングは、前記ボディから距離を置いて配置されるハウジング壁を有し、前記突起部は、前記ハウジング壁と前記ボディとの間に配置される、
請求項１乃至３のいずれか一項に記載の光学装置。
【請求項５】
前記ボディは、両側で前記外表面に当接する前記突起部の間にクランプされる、
請求項１乃至４のいずれか一項に記載の光学装置。
【請求項６】
複数の前記突起部と前記外表面との間の接触領域が、少なくとも実質的に、２つの平面内に配置される、
請求項１乃至５のいずれか一項に記載の光学装置。
【請求項７】
少なくとも１つのレンズ素子が、前記ボディから放射された光を当該レンズ素子の出力部で受けるように配置されている、
請求項１乃至６のいずれか一項に記載の光学装置。
【請求項８】
前記レンズ素子は、前記ハウジングの開口部の中に設けられる、
請求項７に記載の光学装置。
【請求項９】
前記ボディは、１つ以上の前記光入力部を有し、
前記ハウジングは、入力部当たり２個から１２個の前記突起部を有する、
請求項１乃至８のいずれか一項に記載の光学装置。
【請求項１０】
前記ハウジングは、少なくとも上側及び下側のハウジング部分を有し、前記ボディは、前記上側及び下側のハウジング部分の間に配置され、
前記上側のハウジング部分に、入力部当たり１個から６個の前記突起部が配置され、前記下側のハウジング部分に、入力部当たり１個から６個の前記突起部が配置されている、
請求項１乃至９のいずれか一項に記載の光学装置。
【請求項１１】
前記突起部は、少なくとも実質的に円筒形の形状を有する、
請求項１乃至１０のいずれか一項に記載の光学装置。
【請求項１２】
前記突起部は、前記外表面に当接するように構成された、丸みを帯びた又は少なくとも部分的に先細にされた頭部を備える、
請求項１乃至１１のいずれか一項に記載の光学装置。
【請求項１３】
前記ボディは、前記ハウジングの他の部分と接触することなく前記突起部のみによって保持される、
請求項１乃至１２のいずれか一項に記載の光学装置。
【請求項１４】
少なくとも１つの光源と、
請求項１乃至１３のいずれか一項に記載の光学装置であり、前記光源からの光を前記入力部で受け取るように構成された光学装置と、
を含むヘッドライトアセンブリ。
【請求項１５】
前記光源は、少なくとも１つのＬＥＤ素子又は少なくとも１つのレーザ照明素子を有する、
請求項１４に記載のヘッドライトアセンブリ。
【国際調査報告】
2019510269.tif 000007
2019510269.tif 000008